(57)【要約】【課題】皮膚から取り除かれて皮膚を振動させる部材に付着した物の除去を容易にする。【解決手段】皮膚を振動させる部材である振動部１０は、上方から見て円形であって所定の厚みがある底部１１０と、底部１１０に連なる管状の凸部１１１を有する。凸部１１１は、内側の底部１１０側にＲ面１１２を有しており、Ｒ面１１２がある部分においては、底部１１０に向かって厚みが増す形状となっている。また、凸部１１１は、底部１１０と反対側の縁部がＣ面取りされている。振動部１０の底面には、振動素子４０が接着されている。【選択図】図３Ｂ
2020039937.tif 000002
【特許請求の範囲】
【請求項１】
底部に連なり肌に接する縁が環状である凸部と、肌に接する側から見て前記縁の内周側に形成された凹部とを有し、前記凸部は、中空ではなく前記縁から前記底部に向かうにつれて前記凹部側に径方向の厚みが増しており、前記凹部の深さは、中央から前記縁に向かうにつれて浅くなっている振動部と、
前記底部を挟んで前記凹部及び前記凸部がある側と反対側に設けられ、前記振動部を振動させる振動子と
を備える美容器。
【請求項２】
前記凹部は半球形状である請求項１に記載の美容器。
【請求項３】
環状の電極と、
前記電極と前記振動部へラジオ波の交流電圧を印加する供給部と
を有し、
前記凸部は、前記環状の電極の内周面より内側に位置する
請求項１又は請求項２に記載の美容器。
【発明の詳細な説明】
【技術分野】
【０００１】
本発明は、美容器に関する。
【背景技術】
【０００２】
超音波振動を発生する超音波発生部と、筒状の突起を有し、超音波発生部の超音波振動を皮膚に伝達する皮膚接触部材を備えた皮膚美容装置が開示されている。この皮膚美容装置は、皮膚接触部材を皮膚に接触させて超音波振動を皮膚に伝達することにより、皮膚の老廃物を皮膚外に排出させる。
【先行技術文献】
【特許文献】
【０００３】
【特許文献１】特許第５７６６３５５号公報
【発明の概要】
【発明が解決しようとする課題】
【０００４】
超音波振動によって皮膚外に排出された老廃物は、筒状の突起の内側に入る。特許文献１の図１に示されているように、突起が皮膚接触部材の底に対して垂直になっている場合、突起と底が交わる部分に老廃物が付着すると、付着した老廃物を取り除くのが困難となる。
【０００５】
本発明は、上述した背景の下になされたものであり、皮膚から取り除かれて皮膚を振動させる部材に付着した物の除去を容易にする技術を提供することを目的とする。
【課題を解決するための手段】
【０００６】
本発明は、底部に連なり肌に接する縁が環状である凸部と、肌に接する側から見て前記縁の内周側に形成された凹部とを有し、前記凸部は、中空ではなく前記縁から前記底部に向かうにつれて前記凹部側に径方向の厚みが増しており、前記凹部の深さは、中央から前記縁に向かうにつれて浅くなっている振動部と、前記底部を挟んで前記凹部及び前記凸部がある側と反対側に設けられ、前記振動部を振動させる振動子とを備える美容器を提供する。
【０００７】
本発明においては、前記凹部は半球形状である構成であってもよい。
【０００８】
また、本発明においては、環状の電極と、前記電極と前記振動部へラジオ波の交流電圧を印加する供給部とを有し、前記凸部は、前記環状の電極の内周面より内側に位置する構成であってもよい。
【発明の効果】
【０００９】
本発明によれば、皮膚から取り除かれて皮膚を振動させる部材に付着した物の除去を容易にすることができる。
【図面の簡単な説明】
【００１０】
【図１】本発明の実施形態に係る美容器１の外観図。
【図２】美容器１の電気的構成を示したブロック図。
【図３Ａ】振動部１０の上面図。
【図３Ｂ】図３Ａに示した振動部１０のＡ−Ａ線断面図。
【図４Ａ】第２実施形態に係る振動部１０Ａの上面図。
【図４Ｂ】図４Ａに示した振動部１０ＡのＢ−Ｂ線断面図。
【図４Ｃ】振動部１０Ａの変形例の断面図。
【図５】第２実施形態に係る美容器１のブロック図。
【図６Ａ】第３実施形態に係る振動部１０の上面図。
【図６Ｂ】図６Ａに示した振動部１０のＣ−Ｃ線断面図。
【図７】第３実施形態に係る美容器１のブロック図。
【図８Ａ】変形例に係る振動部１０Ｂの上面図。
【図８Ｂ】図８Ａに示した振動部１０ＢのＤ−Ｄ線断面図。
【図９Ａ】変形例に係る振動部１０Ｃの上面図。
【図９Ｂ】図９Ａに示した振動部１０ＣのＥ−Ｅ線断面図。
【図９Ｃ】図９Ａに示した振動部１０ＣのＦ−Ｆ線断面図。
【発明を実施するための形態】
【００１１】
［第１実施形態］
図１は、本発明の第１実施形態に係る美容器１の外観を示した図であり、図２は、美容器１の電気的構成を示したブロック図である。美容器１は、皮膚の表面にある角質や皮脂、化粧などを皮膚から取り除く装置である。
【００１２】
美容器１は、振動部１０、操作部２０、表示部３０及び筐体５０を備える。筐体５０の内部には、振動部１０を振動させる振動素子４０、制御部１０１、振動素子４０を振動させる振動制御部６０、美容器１の電源となる二次電池（図示略）がある。
【００１３】
図３Ａは、振動部１０の上面図であり、図３Ｂは、図３Ａに示した振動部１０のＡ−Ａ線断面図である。振動部１０の素材は金属であるが、金属に限定されず他の素材であってもよい。振動部１０は、上方から見て円形であって所定の厚みがある底部１１０と、底部１１０に連なる管状の凸部１１１を有する。凸部１１１は、内側の底部１１０側に所定の半径のＲ面１１２を有しており、Ｒ面１１２がある部分においては、内面側が底部１１０に向かって厚みが増す形状となっている。また、凸部１１１は、底部１１０と反対側の縁部がＣ面取りされている。なお、凸部１１１の縁部は、Ｃ面取りではなくＲ面取りされていてもよい。
【００１４】
振動素子４０は、圧電セラミックスを一対の電極で挟んだ振動素子である。振動素子４０は、底部１１０の底面に接着されている。振動素子４０の形状は中央に穴が設けられた円環形状である。振動素子４０は、電極に交流電圧が印加されると円環形状の径方向に振動する。本実施形態においては、振動素子４０の振動の周波数は、８０ｋＨｚ〜１００ｋＨｚであるが、この周波数以外の周波数で振動するものであってもよい。
【００１５】
操作部２０は、ボタン２０Ａとボタン２０Ｂを含む。ボタン２０Ａは、美容器１の電源をオン又はオフにするためのボタンであり、筐体５０に配置されている。ボタン２０Ａを操作する毎に、美容器１はオン状態とオフ状態が切り替わる。ボタン２０Ｂは、振動素子４０の振動を制御するためのボタンであり、筐体５０に配置されている。筐体５０に配置された表示部３０は、液晶ディスプレイであり、二次電池の残量や振動素子４０の振動状態などを表示する。
【００１６】
次に美容器１の電気的構成について、図２を用いて説明する。振動制御部６０は、制御部１０１と振動素子４０に接続されており、振動素子４０に交流電圧を印加する回路を有している。制御部１０１は、ＣＰＵ（Central Processing Unit）、ＲＯＭ（Read Only Memory）、ＲＡＭ（Random Access Memory）を有するマイクロコンピュータであり、ＲＯＭに記憶されているプログラムに従って振動制御部６０を制御する。制御部１０１には、振動制御部６０に加えて操作部２０と表示部３０が接続されている。制御部１０１は、二次電池の残量が表示されるように表示部３０を制御する。
【００１７】
制御部１０１は、振動素子４０を振動させていない状態においてボタン２０Ｂが操作されると、交流電圧の印加を指示する信号を振動制御部６０へ出力する。振動制御部６０は、制御部１０１から出力された信号に応じて交流電圧を振動素子４０に印加し、振動素子４０を振動させる。制御部１０１は、交流電圧の印加を指示する信号を出力した後、振動状態であることを示すアイコンが表示されるように表示部３０を制御する。
【００１８】
振動素子４０が振動すると、振動素子４０が接着されている振動部１０も振動する。美容器１の使用者は、振動している凸部１１１の縁を顔の皮膚に接触させながら移動させる。振動している凸部１１１の縁が皮膚上を移動すると、皮膚の表面に付着している角質や皮脂、皮膚の表面に残っている化粧などが皮膚の表面から除去される。また、皮膚の毛穴の中にある角質や皮脂、化粧が振動によって毛穴から除去される。皮膚の表面や毛穴から除去された角質や皮脂、化粧は、凸部１１１の外側や凸部１１１の内側に移動する。
【００１９】
次に、制御部１０１は、振動素子４０を振動させている状態においてボタン２０Ｂが操作されると、交流電圧の印加停止を指示する信号を振動制御部６０へ出力する。振動制御部６０は、制御部１０１から出力された信号に応じて振動素子４０への交流電圧の印加を停止し、振動素子４０の振動を停止させる。制御部１０１は、交流電圧の印加停止を指示する信号を出力した後、振動状態であることを示すアイコンを消去するように表示部３０を制御する。
【００２０】
凸部１１１の内側に移動した角質や皮脂、化粧は、凸部１１１の内側に付着する。凸部１１１の底部１１０側にＲ面１１２がなく、例えば、底部１１０に対して凸部１１１が垂直になっている場合、角質や皮脂、化粧などは、凸部１１１と底部１１０が交わる角の部分に付着し、角の部分から除去するのが困難となる。一方、本実施形態においては、凸部１１１の内側に移動した角質や皮脂、化粧は、凸部１１１の内側やＲ面１１２、底部１１０の上面側などに付着する。振動部１０においては、凸部１１１の底部１１０側にＲ面１１２があり、角となっている部分がないため、凸部１１１の内側に付着した角質や皮脂、化粧などを容易に除去し、凸部１１１を清潔にすることができる。
【００２１】
また、Ｒ面１１２がない構成と比較すると、本実施形態においては、Ｒ面１１２があり、凸部１１１は、底部１１０側において底部１１０に向かって厚みが増す形状となっているため、振動素子４０の振動がより皮膚に伝わり、より角質や皮脂、化粧などを除去することができる。なお、上述した実施形態においては、凸部１１１は、内側の底部側にＲ面１１２を有しているが、Ｒ面１１２に替えてＣ面を有する構成としてもよい。
【００２２】
［第２実施形態］
次に本発明の第２実施形態について説明する。第２実施形態に係る美容器１は、振動部と振動素子の構成が第１実施形態と異なり、他の構成は第１実施形態と同じである。そのため、第１実施形態と同じ構成については同じ符号を使用し、その説明を省略する。
【００２３】
図４Ａは、第２実施形態に係る振動部１０Ａの上面図であり、図４Ｂは、図４Ａに示した振動部１０ＡのＢ−Ｂ線断面図である。振動部１０Ａの素材は、振動部１０と同じく金属である。振動部１０Ａは、上方から見て円形であって所定の厚みがある底部１１０と、底部１１０に連なる管状の凸部１１１を有する。凸部１１１は、内側の底部１１０側にＲ面１１２を有しており、Ｒ面１１２がある部分においては、内面側が底部１１０に向かって厚みが増す形状となっている。凸部１１１は、底部１１０と反対側の縁部がＣ面取りされている。
【００２４】
また、振動部１０Ａは、底部１１０に連なる管状の凸部１１３を有する。凸部１１３は、上方から見て中心が凸部１１１と同じ位置にあり、その内径が凸部１１１の外径より大きく、底部１１０と反対側の縁部がＣ面取りされている。凸部１１１の底部１１０側と凸部１１３の底部１１０側の間には、凸部１１１の外周面と凸部１１３の内周面に連なるＲ面１１４がある。凸部１１３は、Ｒ面１１４がある部分においては、内面側が底部１１０に向かって厚みが増す形状となっている。また、凸部１１１は、Ｒ面１１４がある部分においては、外面側も底部１１０に向かって厚みが増す形状となっている。
【００２５】
振動素子４１は、圧電セラミックスを一対の電極で挟んだ振動素子である。振動素子４１は、中央に穴が設けられた円環形状であり、内径が振動素子４０の外径より大きい。振動素子４１は、底部１１０の底面においてＲ面１１４の下方に接着されている。振動素子４１は、電極に交流電圧が印加されると円環形状の径方向に振動する。
【００２６】
本実施形態においては、振動素子４１の振動の周波数は４０ｋＨｚであり、振動素子４０の振動の周波数は１００ｋＨｚとなっている。振動素子４０と振動素子４１の振動の周波数は、この組み合わせに限定されるものではなく、他の組み合わせであってもよい。例えば、振動素子４０の振動の周波数＞振動素子４１の振動の周波数という関係で、振動素子４０の振動の周波数を１００ｋＨｚ以外の周波数とし、振動素子４１の振動の周波数を４０ｋＨｚ以外の周波数としてもよい。また、振動素子４０の振動の周波数と振動素子４１の振動の周波数との関係を、振動素子４０の振動の周波数＜振動素子４１の振動の周波数という関係としてもよい。また、振動素子４０の振動の周波数と振動素子４１の振動の周波数を同じとしてもよい。
【００２７】
図５は、第２実施形態に係る美容器１のブロック図である。振動制御部６０は、振動素子４０と振動素子４１に接続されている。制御部１０１は、振動素子４０及び振動素子４１を振動させていない状態においてボタン２０Ｂが操作されると、交流電圧の印加を指示する信号を振動制御部６０へ出力する。振動制御部６０は、制御部１０１から出力された信号に応じて交流電圧を振動素子４０に印加し、振動素子４０を振動させる。また、振動制御部６０は、制御部１０１から出力された信号に応じて交流電圧を振動素子４１に印加し、振動素子４１を振動させる。制御部１０１は、交流電圧の印加を指示する信号を出力した後、振動状態であることを示すアイコンが表示されるように表示部３０を制御する。
【００２８】
振動素子４０及び振動素子４１が振動すると、振動素子４０及び振動素子４１が接着されている振動部１０Ａも振動する。美容器１の使用者は、振動している凸部１１１の縁と凸部１１３の縁を顔の皮膚に接触させながら移動させる。振動素子４０の振動により、皮膚の表面に付着している角質や皮脂、皮膚の表面に残っている化粧などが皮膚の表面から除去される。また、毛穴の中にある角質や皮脂、化粧が振動によって毛穴から除去される。また、振動素子４１の振動により、皮膚の表面に付着していたＰＭ２．５などの微小粒子状物質が皮膚の表面から除去される。皮膚の表面や毛穴から除去された角質や皮脂、化粧、微小粒子状物質などは、凸部１１３の外側や凸部１１１と凸部１１１の間、凸部１１１の内側に移動する。
【００２９】
次に、制御部１０１は、振動素子４０及び振動素子４１を振動させている状態においてボタン２０Ｂが操作されると、交流電圧の印加停止を指示する信号を振動制御部６０へ出力する。振動制御部６０は、制御部１０１から出力された信号に応じて振動素子４０及び振動素子４１への交流電圧の印加を停止し、振動素子４０及び振動素子４１の振動を停止させる。制御部１０１は、交流電圧の印加停止を指示する信号を出力した後、振動状態であることを示すアイコンを消去するように表示部３０を制御する。
【００３０】
本実施形態においては、皮膚から除去された角質や皮脂、化粧、微小粒子状物質は、凸部１１１と凸部１１１の間や凸部１１１の内側に付着する。振動部１０Ａにおいては、角質や皮脂、化粧、微小粒子状物質などが入り込む角がなく、凸部１１１と凸部１１３の間にＲ面１１４があるため、凸部１１１と凸部１１３の間に付着した角質や皮脂、化粧、微粒子状物質などを容易に除去することができる。また、本実施形態においては、Ｒ面１１４があり、凸部１１３は、底部１１０側において底部１１０に向かって厚みが増す形状となっているため、振動素子４０や振動素子４１の振動がより皮膚に伝わり、角質や皮脂、化粧、微粒子状物質などをより除去することができる。なお、上述した実施形態においては、凸部１１１と凸部１１３の間にはＲ面があるが、図４Ｃに示したように、Ｒ面１１４に替えてＣ面１１５とＣ面１１６を有する構成であってもよい。
【００３１】
［第３実施形態］
次に本発明の第３実施形態について説明する。第３実施形態に係る美容器１は、高周波（ラジオ波）による温熱効果を発生するための電極を有している点が第１実施形態と異なり、他の構成は第１実施形態と同じである。そのため、第１実施形態と同じ構成については同じ符号を使用し、その説明を省略する。
【００３２】
図６Ａは、第３実施形態に係る振動部１０の上面図であり、図６Ｂは、図６Ａに示した振動部１０のＣ−Ｃ線断面図である。第１実施形態と同じ振動部１０の凸部１１１の外周より外側には、電極１２０と、電極１２０を固定する固定部１３０が設けられている。固定部１３０は、例えばＡＢＳ樹脂であり、円筒形状に形成されている。固定部１３０の内周面より内側には振動部１０が位置し、固定部１３０の内周面に振動部１０が接着されている。
【００３３】
電極１２０は、皮膚の表層を加熱するための電極であり、導電性を有する。電極１２０の形状は、円筒の形状であり、一部が固定部１３０内に位置して固定部１３０に接着されており、一部が固定部１３０の外に露出している。
【００３４】
図７は、第３実施形態に係る美容器１の電気的構成を示したブロック図である。高周波供給部７０は、高周波（ラジオ波）の交流電圧を出力する回路を有しており、制御部１０１、振動部１０及び電極１２０に接続されている。制御部１０１は、振動素子４０を振動させていない状態においてボタン２０Ｂが操作されると、交流電圧の印加を指示する信号を振動制御部６０と高周波供給部７０へ出力する。振動制御部６０は、制御部１０１から出力された信号に応じて交流電圧を振動素子４０に印加し、振動素子４０を振動させる。高周波供給部７０は、制御部１０１から出力された信号に応じて交流電圧を電極１２０及び振動部１０へ印加する。制御部１０１は、交流電圧の印加を指示する信号を出力した後、振動状態であることを示すアイコンと皮膚を加熱している状態であることを示すアイコンが表示されるように表示部３０を制御する。
【００３５】
皮膚に接触している電極１２０と振動部１０へ高周波の交流電圧が印加されると、電極１２０と振動部１０との間で皮膚を介して高周波電流が流れて皮膚が温められる。高周波電流を皮膚に流さない構成と比較すると、皮膚が温められるため、皮膚の角質や皮脂、化粧などが除去されやすくなる。
【００３６】
制御部１０１は、振動素子４０を振動させている状態においてボタン２０Ｂが操作されると、交流電圧の印加停止を指示する信号を振動制御部６０と高周波供給部７０へ出力する。振動制御部６０は、制御部１０１から出力された信号に応じて振動素子４０への交流電圧の印加を停止し、振動素子４０の振動を停止させる。高周波供給部７０は、制御部１０１から出力された信号に応じて電極１２０及び振動部１０への交流電圧の印加を停止する。制御部１０１は、交流電圧の印加停止を指示する信号を出力すると、振動状態であることを示すアイコンと皮膚を加熱している状態であることを示すアイコンを消去するように表示部３０を制御する。
【００３７】
なお、美容器１が電極１２０を有する構成においては、凸部１１１の内周より内側に電極１２０が配置された構成であってもよい。この構成の場合、凸部１１１の内周より内側に固定部１３０が配置され、固定部１３０に電極１２０が固定される。固定部１３０の上面は、Ｃ面取りされた凸部１１１の縁より下方にあり、固定部１３０は、本発明に係る底部となる。凸部１１１は、内周面側において固定部１３０上面に繋がる所定の半径のＲ面１１２又はＣ面を有する。なお、凸部１１１の内周より内側に配置された電極１２０においても、内周面側と外周面側において固定部１３０の上面に繋がる所定の半径のＲ面又はＣ面を有する構成としてもよい。この構成においては、凸部１１１や電極１２０の底部側において角となる部分がないため、凸部１１１や固定部１３０、電極１２０に付着した角質や皮脂、化粧などを容易に除去し、凸部１１１や固定部１３０、電極１２０を清潔にすることができる。
【００３８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００３９】
上述した実施形態においては、振動素子４０と振動素子４１が振動する方向は、円環形状の径方向であるが、径方向ではなく厚み方向に振動する構成であってもよい。また、振動素子４０と振動素子４１の一方が径方向に振動子、他方が厚み方向へ振動する構成であってもよい。
【００４０】
上述した実施形態においては、底部１１０は、振動素子４０が接着される側と反対側に平坦な部分があるが、底部１１０が平坦な部分を有しない構成であってもよい。図８Ａは、本変形例に係る振動部１０Ｂの上面図であり、図８Ｂは、図８Ａに示した振動部１０ＢのＤ−Ｄ線断面図である。振動部１０Ｂの素材は、金属である。振動部１０Ｂは、上方から見て円形であって所定の厚みがある底部１１０と、底部１１０に連なる凸部１１７を有し、凸部１１７は、半球状の凹部１１８を有する。本変形例においては、凸部１１７は、内面側が底部１１０に向かって厚みが増す形状となっている。凸部１１７の内側に移動した角質や皮脂、化粧は、凹部１１８に付着する。振動部１０Ｂにおいては、凸部１１７の内側は半球面であるため、角質や皮脂、化粧などが入り込む角がなく、凸部１１７の内側に付着した角質や皮脂、化粧などを容易に除去し、凸部１１７を清潔にすることができる。
【００４１】
上述した実施形態においては、凸部１１１や凸部１１３は、円管の形状であるが、円管の形状に限定されるものではなく、内側の底部１１０側にＲ面又はＣ面を有するのであれば角管の形状であってもよい。
【００４２】
また、振動部は、上方から見て雫型の形状であってもよい。図９Ａは、上方から見て雫型の振動部１０Ｃの上面図であり、図９Ｂは、図９Ａに示した振動部１０ＣのＥ−Ｅ線断面図である。また、図９Ｃは、図９Ａに示した振動部１０ＣのＦ−Ｆ線断面図である。振動部１０Ｃの素材は金属である。振動部１０Ｃは、上方から見て雫型であって所定の厚みがある底部１１０Ａと、底部１１０に連なる管状の凸部１１９を有する。凸部１１９は、内側の底部１１０Ａ側にＲ面１１２を有しており、Ｒ面１１２がある部分においては、内面側が底部１１０Ａに向かって厚みが増す形状となっている。振動部１０Ｃにおいても、凸部１１９の底部１１０Ａ側にＲ面１１２があるため、角質や皮脂、化粧などが入り込む角がなく、凸部１１９の内側に付着した角質や皮脂、化粧などを容易に除去し、凸部１１９を清潔にすることができる。
【００４３】
上述した第２実施形態においては、美容器１は、振動素子４０と振動素子４１を備える構成であるが、振動部１０Ａに対して一つの振動素子を接着する構成であってもよい。また、上述した第２実施形態においては、美容器１は、凸部１１１と凸部１１３の２つの凸部を備える構成であるが、３つ以上の凸部を備える構成であってもよい。また、上述した第２実施形態においては、振動素子４０と振動素子４１の振動の周波数は固定となっているが、使用者の操作に応じて振動の周波数を変更で着る構成であってもよい。
【００４４】
上述した実施形態においては、振動素子４０は円環形状であるが、振動素子４０は、円盤形状であって厚み方向へ振動する構成であってもよい。
【符号の説明】
【００４５】
１…美容器、１０，１０Ａ，１０Ｂ，１０Ｃ…振動部、２０…操作部、２０Ａ，２０Ｂ…ボタン、３０…表示部、４０，４１…振動素子、５０…筐体、６０…振動制御部、７０…高周波供給部、１１０，１１０Ａ…底部、１１１，１１３，１１７，１１９…凸部、１１２，１１４…Ｒ面、１１５，１１６…Ｃ面、１１８…凹部、１２０…電極、１３０…固定部。
【図１】
2020039937.tif 000003
【図２】
2020039937.tif 000004
【図３Ａ】
2020039937.tif 000005
【図３Ｂ】
2020039937.tif 000006
【図４Ａ】
2020039937.tif 000007
【図４Ｂ】
2020039937.tif 000008
【図４Ｃ】
2020039937.tif 000009
【図５】
2020039937.tif 000010
【図６Ａ】
2020039937.tif 000011
【図６Ｂ】
2020039937.tif 000012
【図７】
2020039937.tif 000013
【図８Ａ】
2020039937.tif 000014
【図８Ｂ】
2020039937.tif 000015
【図９Ａ】
2020039937.tif 000016
【図９Ｂ】
2020039937.tif 000017
【図９Ｃ】
2020039937.tif 000018